(57)【要約】【課題】  移動通信端末装置における表示部への表示内容の切り換えを簡易に行う。【解決手段】  センサユニット２５が、携帯電話装置の姿勢を検出する。引き続き、姿勢状態変化検出部３３が、センサユニット２５により検出された姿勢が、非回転状態から右回転状態又は左回転状態へ遷移したか否かを検出する。そして、この検出結果が肯定的なものであった場合には、表示制御部３５が、非回転状態から右回転状態の遷移及び左回転状態へ遷移のそれぞれに対応して、表示部１３における表示内容を離散的に切り換える。【選択図】  図３
2007228100.tif 000002
【特許請求の範囲】
【請求項１】
移動通信端末装置において使用される表示処理方法であって、
前記移動通信端末装置の姿勢角を検出する姿勢角検出工程と；
前記姿勢角検出工程において検出された姿勢角の値が、所定姿勢角範囲の内側から前記所定姿勢角範囲の外側へ変化したか否かを判定する姿勢角変化判定工程と；
前記姿勢角判定工程における判定の結果が肯定的であった場合に、前記姿勢角の変化方向に対応して、前記移動通信端末装置の表示部における表示内容を離散的に切り換える第１表示切換工程と；を備える表示処理方法。
【請求項２】
前記姿勢角検出工程において検出された姿勢角の値が前記所定姿勢角範囲の外側に存在する状態が、予め定められた時間にわたって継続しているか否かを判定する所定範囲外継続判定工程と；
前記所定範囲外継続判定工程における判定結果が肯定的であった場合に、前記所定姿勢角範囲の内側から前記所定姿勢角範囲の外側へ向かう方向に対応して、前記表示部における表示内容を離散的に切り換える第２表示切換工程と；を更に備える、ことを特徴とする請求項１に記載の表示処理方法。
【請求項３】
前記所定姿勢角範囲は、前記移動通信端末装置の基準姿勢における表示縦軸及び表示横軸の少なくとも一方の軸回りの前記初期姿勢からの回転角が所定値以下の範囲である、ことを特徴とする請求項１又は２に記載の表示処理方法。
【請求項４】
前記基準姿勢は、前記表示部の表示面が水平となる姿勢である、ことを特徴とする請求項３に記載の表示処理方法。
【請求項５】
前記姿勢角検出工程に先立って、前記移動通信端末装置の初期姿勢を検出する初期姿勢検出工程を更に備え、
前記基準姿勢は、前記初期姿勢である、ことを特徴とする請求項３に記載の表示処理方法。
【請求項６】
前記表示内容には、表示縦方向及び表示横方向の少なくとも一方に沿って仮想的に配列された少なくとも１つの展開可能ファイルシンボルが含まれる、ことを特徴とする請求項１〜５のいずれか一方に記載の表示処理方法。
【請求項７】
前記表示内容の表示においては、前記展開可能ファイルが複数表示されるとともに、前記展開可能ファイル中における展開指定可能な展開可能ファイルが強調表示される、ことを特徴とする請求項６に記載の表示処理方法。
【請求項８】
表示部を有する表示手段と；
姿勢角を検出する姿勢角検出手段と；
前記姿勢角検出手段により検出された姿勢角の値が、所定姿勢角範囲の内側から前記所定姿勢角範囲の外側へ変化したか否かを判定する姿勢角変化判定手段と；
前記姿勢角判定手段による判定の結果が肯定的であった場合に、前記姿勢角の変化方向に対応して、前記表示部における表示内容を離散的に切り換える表示制御手段と；を備える移動通信端末装置。
【請求項９】
前記姿勢角検出手段により検出された姿勢角の値が前記所定姿勢角範囲の外側に存在する状態が、予め定められた時間にわたって継続しているか否かを判定する所定範囲外継続判定手段を更に備え、
前記表示制御手段は、前記所定範囲外継続判定手段における判定結果が肯定的であった場合に、前記所定姿勢角範囲の内側から前記所定姿勢角範囲の外側へ向かう方向に対応して、前記表示部における表示内容を離散的に切り換える、ことを特徴とする請求項８に記載の移動通信端末装置。
【発明の詳細な説明】
【技術分野】
【０００１】
本発明は、移動通信端末装置の表示部への表示処理方法、及び、当該表示処理方法を使用する移動通信端末装置に関するものである。
【背景技術】
【０００２】
従来から、携帯電話装置等の移動通信端末装置が広く普及している。近年においては、移動通信端末装置では、通話機能、電子メール通信機能、ブラウザ機能等の通信機能を初めとして、内部の記憶部に格納されたプログラムを実行することにより、様々な機能を果たすことができるようになっている。
【０００３】
こうした移動通信端末装置においてプログラムを選択して実行させるには、パーソナルコンピュータ等の場合と同様に、表示部に表示された展開可能実行ファイルや文書ファイル等のアイコンを選択する方法が、一般的に用いられている（以下、「従来例」という）。この方法では、まず、表示部に展開可能な実行ファイルや文書ファイル等のアイコンを表示する。引き続き、利用者がマウス等の入力デバイスを操作して、展開するファイルのアイコンを選択することにより当該ファイルの展開指令を行う。そして展開指令されたファイルの展開に対応するプログラムの実行を行う。
【発明の開示】
【発明が解決しようとする課題】
【０００４】
上述した従来例の技術は、プログラム名を指定した実行指令を、キーボード等のストロークデバイスを操作してテキスト入力する場合よりも簡易に行えるという観点からは優れた技術である。しかしながら、従来例の技術は、十分に大きな表示面を有する表示部と、キーボードやマウスを標準的に接続できるパーソナルコンピュータ等に整合した技術である。
【０００５】
携帯電話装置等の移動通信端末装置のように小さな表示面しか利用できない場合には、展開可能な実行ファイルや文書ファイルの一部しか、ファイル種別を視認できるアイコンを表示することができない。このため、現在表示されている表示内容に展開しようとしているファイルのアイコンが存在していない場合には、表示内容を切り換えることが必要となる。こうした表示内容の切り換えは、移動通信端末装置が装備している操作入力部における小さなキーを操作することになるが、小さなキーを、場合によっては多数回操作することは利用者の負担となっていた。
【０００６】
本発明は、上記の事情を鑑みてなされたものであり、移動通信端末装置における表示部への表示内容の切り換えを簡易に行うことができる表示処理方法を提供することを目的とする。
【０００７】
また、本発明は、表示部における表示内容の切り換えを簡易に行うことができる移動通信端末装置を提供することを目的とする。
【課題を解決するための手段】
【０００８】
本発明は、第１の観点からすると、移動通信端末装置において使用される表示処理方法であって、前記移動通信端末装置の姿勢角を検出する姿勢角検出工程と；前記姿勢角検出工程において検出された姿勢角の値が、所定姿勢角範囲の内側から前記所定姿勢角範囲の外側へ変化したか否かを判定する姿勢角変化判定工程と；前記姿勢角判定工程における判定の結果が肯定的であった場合に、前記姿勢角の変化方向に対応して、前記移動通信端末装置の表示部における表示内容を離散的に切り換える第１表示切換工程と；を備える表示処理方法である。
【０００９】
ここで、「姿勢角の値が、所定姿勢角範囲の内側」にあるとは、例えば、所定姿勢角範囲が−１０°以上、１０°以下の場合には、姿勢角の値をθとしたときに、−１０°≦θ≦１０°を満たす場合をいう。また、「姿勢角の値が、所定姿勢角範囲の外側」にあるとは、例えば、所定姿勢角範囲が−１０°以上、１０°以下の場合には、姿勢角の値をθとしたときに、θ＜−１０°、又は、θ＞１０°を満たす場合をいう。本明細書においては、この意味で、「姿勢角範囲の内側」及び「姿勢角範囲の外側」の用語を用いるものとする。
【００１０】
また、「表示内容を離散的に切り換える」とは、例えば、配列されたアイコンに関する表示を切り換える際に、表示されるアイコンは配列順に切り換えられるが、アイコンの表示位置が連続的に変化していくのではなく、当該アイコンの表示位置が、別のアイコンが表示されていた位置に一挙に切り換わる態様で表示内容を切り換えることをいう。本明細書においては、この意味で、「表示内容の離散的な切り換え」の用語を用いるものとする。
【００１１】
この表示処理方法では、姿勢角検出工程において、移動通信端末装置の姿勢角が検出される。引き続き、姿勢角変化判定工程において、姿勢角検出工程において検出された姿勢角の値が、所定姿勢角範囲の内側から外側へ変化したか否かが判定される。ここで、所定姿勢角範囲は、操作性の観点から、実験や経験によって定められる。なお、所定姿勢角範囲は、予め固定的に設定されるようにしてもよいし、利用者が設定可能としてもよい。
【００１２】
姿勢角変化判定工程における判定の結果が肯定的であった場合には、第１表示切換工程において、姿勢角の変化方向に対応して、移動通信端末装置の表示部における表示内容が離散的に切り換えられる。このため、利用者は、移動通信端末装置の姿勢を変化させることで、表示部における表示内容を切り換えることができる。したがって、本発明の表示処理方法によれば、表示部における表示内容の切り換えを簡易に行うことができる。
【００１３】
本発明の表示処理方法では、前記姿勢角検出工程において検出された姿勢角の値が前記所定姿勢角範囲の外側に存在する状態が、予め定められた時間にわたって継続しているかか否かを判定する所定範囲外継続判定工程と；前記所定範囲外継続判定工程における判定結果が肯定的であった場合に、前記所定姿勢角範囲の内側から前記所定姿勢角範囲の外側へ向かう方向に対応して、前記表示部における表示内容を離散的に切り換える第２表示切換工程と；を更に備えるようにすることができる。
【００１４】
この場合には、所定範囲外継続判定工程において、姿勢角の値が所定姿勢角範囲の外側に存在する状態が予め定められた時間にわたって継続しているか否かが判定される。この判定結果が肯定的であった場合には、第２表示切換工程において、所定姿勢角範囲の内側から所定姿勢角範囲の外側へ向かう方向に対応して、表示部における表示内容が離散的に切り換えられる。このため、姿勢角の値が所定姿勢角範囲の外側に継続して存在するようにすることにより、連続的に表示内容を切り換えることができる。
【００１５】
また、本発明の表示処理方法では、前記所定姿勢角範囲を、前記移動通信端末装置の基準姿勢における表示縦軸及び表示横軸の少なくとも一方の軸回りの前記初期姿勢からの回転角が所定値以下の範囲とすることができる。
【００１６】
ここで、前記基準姿勢を、前記表示部の表示面が水平となる姿勢とすることができる。また、前記姿勢角検出工程に先立って、前記移動通信端末装置の初期姿勢を検出する初期姿勢検出工程を更に備えるようにするとともに、前記基準姿勢を、前記初期姿勢とすることもできる。
【００１７】
本発明の表示処理方法では、前記表示内容には、表示縦方向及び表示横方向の少なくとも一方に沿って仮想的に配列された少なくとも１つの展開可能ファイルシンボルが含まれるようにすることができる。この場合には、展開可能ファイルの選択のための画面内容の切り換えを、移動通信端末装置の姿勢を変化させるという簡易な操作で行うことができる。
【００１８】
ここで、前記表示内容の表示においては、前記展開可能ファイルが複数表示されるとともに、前記展開可能ファイル中における展開指定可能な展開可能ファイルが強調表示されるようにすることができる。この場合には、所望の展開可能ファイルの展開を非常に容易に行うことができる。
【００１９】
本発明は、第２の観点からすると、表示部を有する表示手段と；姿勢角を検出する姿勢角検出手段と；前記姿勢角検出手段により検出された姿勢角の値が、所定姿勢角範囲の内側から前記所定姿勢角範囲の外側へ変化したか否かを判定する姿勢角変化判定手段と；前記姿勢角判定手段による判定の結果が肯定的であった場合に、前記姿勢角の変化方向に対応して、前記表示部における表示内容を離散的に切り換える表示制御手段と；を備える移動通信端末装置である。
【００２０】
この移動通信端末装置では、姿勢角検出手段が、移動通信端末装置の姿勢角を検出する。引き続き、姿勢角変化判定手段が、姿勢角検出手段により検出された姿勢角の値が、所定姿勢角範囲の内側から外側へ変化したか否かを判定する。そして、姿勢角変化判定手段による判定の結果が肯定的であった場合には、表示切換手段が、姿勢角の変化方向に対応して、表示部における表示内容を離散的に切り換える。
【００２１】
すなわち、本発明の移動通信端末装置は、上述した本発明の表示処理方法を使用して、表示部の表示内容を切り換えることができる。したがって、本発明の移動通信端末装置によれば、表示部における表示内容の切り換えを簡易に行うことができる。
【００２２】
本発明の移動通信端末装置では、前記姿勢角検出手段により検出された姿勢角の値が前記所定姿勢角範囲の外側に存在する状態が、予め定められた時間にわたって継続しているか否かを判定する所定範囲外継続判定手段を更に備えるとともに、前記表示制御手段は、前記所定範囲外継続判定手段における判定結果が肯定的であった場合に、前記所定姿勢角範囲の内側から前記所定姿勢角範囲の外側へ向かう方向に対応して、前記表示部における表示内容を離散的に切り換えるようにすることができる。
【００２３】
この場合には、所定範囲外継続判定手段は、姿勢角の値が所定姿勢角範囲の外側に存在する状態が、予め定められた時間にわたって継続しているか否かを判定する。この判定結果が肯定的であった場合には、表示切換手段が、所定姿勢角範囲の内側から所定姿勢角範囲の外側へ向かう方向に対応して、表示部における表示内容を離散的に切り換える。このため、姿勢角の値が所定姿勢角範囲の外側に継続して存在するようにすることにより、連続的に表示内容を切り換えることができる。
【発明の効果】
【００２４】
以上説明したように、本発明の表示処理方法によれば、移動通信端末装置における表示部への表示内容の切り換えを簡易に行うことができるという効果を奏する。
【００２５】
また、本発明の移動通信端末装置によれば、表示部における表示内容の切り換えを簡易に行うことができるという効果を奏する。
【発明を実施するための最良の形態】
【００２６】
以下、本発明の一実施形態を、図１〜図１０を参照しつつ説明する。なお、これらの図においては、同一又は同等の要素には同一の符号を付し、重複する説明を省略する。
【００２７】
［構成］
図１には、移動通信端末装置である携帯電話装置１０の外観構成が概略的に示されている。ここで、図１（Ａ）には、携帯電話装置１０の外観の正面図が示され、図１（Ｂ）には、携帯電話装置１０の外観の背面図が示されている。
【００２８】
図１（Ａ）、図１（Ｂ）に総合的に示されるように、携帯電話装置１０は、（ａ）携帯電話本体１１と、（ｂ）電話番号を入力するためのテンキー、及び、動作モードの切替等の各種指令を、後述する制御部２１（図２参照）に入力するためのファンクションキーを有する操作部１２と、（ｃ）操作案内、動作状況、受信メッセージ等を表示する液晶表示装置を有する表示手段としての表示部１３とを備えている。また、携帯電話装置１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７とを備えている。なお、携帯電話装置１０については、図１に示されるようにＸ軸、Ｙ軸及びＺ軸で表される固有のＸＹＺ座標系が定義されている。
【００２９】
携帯電話本体１１の内部には、図２に示されるように、（ｉ）タイマ２９を含み、携帯電話装置１０全体の動作を統括制御する制御部２１と、(ii)アンテナ１７を介して、基地局との間で無線信号の送受信を行う送受信部２２と、（iii）制御部２１で実行されるプログラムや各種データを格納する、読出専用メモリ（ＲＯＭ）素子やランダムアクセスメモリ（ＲＡＭ）素子を有する記憶部２３とを備えている。また、携帯電話本体１１の内部には、（iv）携帯電話装置１０の姿勢角及び携帯電話装置１０に作用する加速度を計測する姿勢角検出手段としてのセンサユニット２５を備えている。
【００３０】
制御部２１は、中央処理装置（ＣＰＵ）、デジタル信号処理装置（ＤＳＰ）等を備えており、一般的な携帯電話機能を実現するために、様々なデータ処理を行うとともに、上述した他の構成要素の動作制御を行うようになっている。この制御部２１において実行されるプログラムには、図３に示される計測データ収集処理部３１と、ファイルビューワアプリケーション３２とが含まれている。
【００３１】
計測データ収集処理部３１は、ファイルビューワアプリケーション３２からのコマンドを処理するとともに、センサユニット２５の計測動作の制御を行う。また、計測データ収集処理部３１は、センサユニット２５からの計測生データのうち、ファイルビューワアプリケーション３２から指定された収集データ条件を満たす計測データを収集し、後述する一時記憶領域２４Ｔに格納する。そして、計測データ収集処理部３１は、一時記憶領域２４Ｔに記憶されている計測データのうち、ファイルビューワアプリケーション３２から指定された通知データ条件を満たす計測データをファイルビューワアプリケーション３２へ報告する。
【００３２】
なお、計測データ収集処理部３１は、予め測定されたオフセット補正用の情報、及び、オフセット補正後のデータから角度や加速度といった物理量を直接的に反映したデータに変換するための物理量変換用情報を有している。そして、計測データ収集処理部３１は、は、センサユニット２５からの計測生データに対してオフセット補正及び物理量変換を順次施して、計測データを算出するようになっている。
【００３３】
ファイルビューワアプリケーション３２は、姿勢角変化検出手段としての姿勢変化検出部３３と、範囲外継続判定手段としての変化継続検出部３４と、表示制御手段としての表示制御部３５とを備えている。
【００３４】
以上のファイルビューワアプリケーション３２の構成要素３３〜３５の説明に先立って、ファイルビューワアプリケーション３２で採用する携帯電話装置１０の非回転状態、右回転状態及び左回転状態について説明する。これらの非回転状態、右回転状態及び左回転状態は、図４に示されるように、携帯電話装置１０がＸＹ基準姿勢にあるときのＸＹ基準座標系ＸSＹSＺSにおけるＹS軸回りの携帯電話装置１０の回転角に対応して定義されている。すなわち、携帯電話装置１０のＹS軸回りの回転角が右回り（時計回り）に角度θ0以上９０°以下の場合が、右回転状態と定義されている。また、携帯電話装置１０のＹS軸回りの回転角が左回り（反時計回り）に角度θ0以上９０°未満の場合が、左回転状態と定義されている。そして、右回転状態でも左回転状態でもない場合が、非回転状態と定義されている。
【００３５】
なお、角度θ0は、ファイルビューワアプリケーション３２の設計者により予め定められる。本実施形態では、角度θ0が１０°に定められている。また、本実施形態では、ＸSＹS面が水平面となるようになっている。
【００３６】
姿勢変化検出部３３は、非回転状態から右回転状態への遷移、及び、非回転状態から左回転状態への遷移を検出する。姿勢変化検出部３３による検出結果は、表示制御部３５へ報告される。
【００３７】
変化継続検出部３４は、タイマ２９による計時結果を利用して、右回転状態の時間Ｔ0の継続、及び、左回転状態の時間Ｔ0の継続への遷移を検出する。姿勢変化検出部３３による検出結果は、表示制御部３５へ報告される。変化継続検出部３４による検出結果は、表示制御部３５へ報告される。この報告を行うと、変化継続検出部３４は、その時点から右回転状態又は左回転状態の継続に時間監視を行う。
【００３８】
なお、時間Ｔ0は、ファイルビューワアプリケーション３２の設計者により予め定められる。本実施形態では、時間Ｔ0が３秒に定められている。
【００３９】
表示制御部３５は、姿勢変化検出部３３及び変化継続検出部３４による検出結果に基づいて、表示部１３への表示画像を変更させる。この表示画像変更に際して、表示制御部３５は、後述するファイル配列記憶領域２４Ｆに記憶されているファイル配列情報を参照する。また、表示制御部３５は、操作部１２から展開するファイルの決定指令を受けた場合には、ファイルビューワアプリケーション３２の動作を終了させるようになっている。なお、表示画像変更の処理の詳細については後述する。
【００４０】
図２に戻り、記憶部２３は、その内部に、ファイル配列記憶領域２４Ｆと、一時記憶領域２４Ｔを含んでいる。ファイル配列記憶領域２４Ｆには、図５に示されるように、ファイル配列記憶領域２４Ｆには、実行ファイル等のファイルＦＳ１，ＦＳ２，…のＸ軸方向に沿った仮想的な配列順序が記憶されている。また、ファイル配列記憶領域２４Ｆには、初期表示ファイルがどのファイルであるかが記憶される。なお、図５では、初期表示ファイルがファイルＦＳ３である例が示されている。かかる初期表示ファイルの指定は、固定的に予め定めておくようにすることもできるし、利用者が指定可能とすることもできるし、自動的に使用頻度の最も高いものとするようにすることもできる。また、一時記憶領域２４Ｔには、収集した計測データが一時的に記憶される。
【００４１】
センサユニット２５は、携帯電話装置１０の姿勢角及び携帯電話装置１０に作用する加速度を検知し、アナログ電圧信号として出力するセンサ部２６と、センサ部２６から電圧信号の電圧値をデジタル値に変換するアナログデジタル（Ａ／Ｄ）変換器２７とを備えている。そして、Ａ／Ｄ変換器２７から出力されるデジタルデータが、計測データとして制御部２１へ通知される。また、センサユニット２５は、制御部２１からの計測開始指令により動作を開始し、制御部２１からの計測停止指令により動作を停止するようになっている。
【００４２】
センサ部２６は、ＸＹ面が水平面であり、Ｙ方向が真北方向となるＸＹＺ基準姿勢であるＸＹＺ基準座標系ＸCＹCＺCにおける携帯電話装置１０のＸC軸回りの回転角（ピッチ角θX）、ＹC軸回りの回転角（ロール角θY）及びＺC軸回りの回転角（ヨー角θZ）を検知する。また、センサ部２６は、Ｘ方向の加速度（αX）及びＹ方向の加速度（αY）を検知する。そして、センサユニット２５は、各計測時点において検知されたピッチ角θX、ロール角θY、ヨー角θZ、Ｘ方向加速度αX及びＹ方向加速度αYを１組にし、計測生データとして制御部２１へ通知するようになっている。
【００４３】
［動作］
次に、以上のように構成された携帯電話装置１０におけるファイルビューワアプリケーション３２に表示部１３への表示制御に主に着目して説明する。
【００４４】
ファイルビューワアプリケーション３２が起動されると、図６に示されるように、ファイルビューワアプリケーション３２は、まず、ステップＳ１１において、姿勢角の計測設定を行う。かかる設定は、表示制御部３５が、計測データ収集処理部３１へ計測データ収集開始指令、及び、収集データ条件を送ることにより行われる。
【００４５】
計測開始指令を受けた計測データ収集処理部３１は、センサユニット２５に動作開始指令を送る。この結果、センサユニット２５に動作を開始し、計測生データを定期的に制御部２１へ送る動作を開始する。この後、制御部２１では、計測データ収集処理部３１が、計測生データを受け、オフセット補正やゲイン補正をした後、収集データ条件を満たす計測データを一時記憶領域２４Ｔに格納する動作を開始する。
【００４６】
次に、ステップＳ１２において、表示制御部３５は、初期画像を表示部１３へ表示させる。この初期画像では、ファイル配列情報において初期表示ファイルと定められているファイルＦＳ３がＸ方向の中心部分に配置されるとともに、ファイル配列情報において＋Ｘ方向でファイルＦＳ３と隣り合うファイルＦＳ４が＋Ｘ方向側に配置され、ファイル配列情報において−Ｘ方向で隣り合うファイルＦＳ２が−Ｘ方向側に配置された態様で、各ファイルのシンボルが同時に表示されるようになっている。また、初期画像では、初期表示ファイルＦＳ３を大きく表示する初期表示ファイルの強調表示は行われるようになっている。こうした初期画像の例が、図７に示されている。
【００４７】
次いで、ステップＳ１３において、表示制御部３５が、操作部１２において決定キーが押下されたか否かを判定する。この判定の結果が肯定的であった場合には、表示制御部３５は、処理を終了する。この結果、ファイルビューワアプリケーション３２の実行が終了する。この後、強調表示されたファイルの展開が行われる。
【００４８】
ステップＳ１３における判定の結果が否定的であった場合には、処理はステップＳ１４へ進む。このステップＳ１４では、表示制御部３５が、通知データ条件を指定した計測デーダ要求を計測データ収集処理部３１へ送る。
【００４９】
計測データ要求を受けた計測データ収集処理部３１は、通知データ条件を満たす計測データをファイルビューワアプリケーション３２へ報告する。ファイルビューワアプリケーション３２では、姿勢変化検出部３３と、変化継続検出部３４とが、計測データ収集処理部３１から報告された計測データを受ける。そして、姿勢変化検出部３３は、報告された計測データに基づいて、非回転状態から右回転状態への遷移、及び、非回転状態から左回転状態への遷移を検出する。また、変化継続検出部３４は、タイマ２９による計時結果を利用して、右回転状態の時間Ｔ0の継続、及び、左回転状態の時間Ｔ0の継続への遷移を検出する。姿勢変化検出部３３及び変化継続検出部３４による検出結果は、表示制御部３５へ報告される。
【００５０】
次に、ステップＳ１５において、表示制御部３５が、表示切換処理を行う。この表示切換処理では、図８に示されるように、まず、ステップＳ２１において、表示制御部３５が、姿勢変化検出部３３から非回転状態から右回転状態への遷移が報告された否かを判定する。
【００５１】
ステップＳ２１における判定の結果が肯定的であった場合には、処理はステップＳ２６へ進む。このステップＳ２６では、表示制御部３５が、現在表示している画像における強調表示されているファイルの表示位置に、現在強調表示されているファイルにファイル配列情報において−Ｘ方向で隣り合うファイルを強調表示した画像の表示に切り換える。これに伴い、強調表示されているファイルは、新たな強調表示ファイルの＋Ｘ方向側で非強調表示がなされるとともに、新たな強調表示ファイルにファイル配列情報において−Ｘ方向で隣り合うファイルが新たな強調表示ファイルの−Ｘ方向側で非強調表示される。こうして図７の表示例から切り換えられた画像表示例が図９に示されている。
【００５２】
ステップＳ２１における判定の結果が否定的であった場合には、処理はステップＳ２２へ進む。このステップＳ２２では、変化継続検出部３４から右回転状態が一定時間Ｔ0以上継続したことが報告されたか否かが判定される。
【００５３】
ステップＳ２２における判定の結果が肯定的であった場合には、処理はステップＳ２６へ進む。そして、上記のステップＳ２６における処理が表示制御部３５により実行される。
【００５４】
ステップＳ２２における判定の結果が否定的であった場合には、処理はステップＳ２３へ進む。このステップＳ２３では、表示制御部３５が、姿勢変化検出部３３から非回転状態から左回転状態への遷移が報告された否かを判定する。
【００５５】
ステップＳ２３における判定の結果が肯定的であった場合には、処理はステップＳ２５へ進む。このステップＳ２５では、表示制御部３５が、現在表示している画像における強調表示されているファイルの表示位置に、現在強調表示されているファイルにファイル配列情報において＋Ｘ方向で隣り合うファイルを強調表示した画像の表示に切り換える。これに伴い、強調表示されているファイルは、新たな強調表示ファイルの−Ｘ方向側で非強調表示がなされるとともに、新たな強調表示ファイルにファイル配列情報において＋Ｘ方向で隣り合うファイルが、新たな強調表示ファイルの＋Ｘ方向側で非強調表示される。こうして図７の表示例から切り換えられた画像表示例が図１０に示されている。
【００５６】
ステップＳ２３における判定の結果が否定的であった場合には、処理はステップＳ２４へ進む。このステップＳ２４では、変化継続検出部３４から左回転状態が一定時間Ｔ0以上継続したことが報告されたか否かが判定される。
【００５７】
ステップＳ２４における判定の結果が肯定的であった場合には、処理はステップＳ２５へ進む。そして、上記のステップＳ２５における処理が表示制御部３５により実行される。
【００５８】
ステップＳ２４における判定の結果が否定的であった場合には、表示切換を行うことなく、ステップＳ１５の処理が終了する。また、ステップＳ２５又はステップ２６の処理が終了した場合も、ステップＳ１５の処理が終了する。そして、処理は、図６のステップＳ１３へ進む。以後、ステップＳ１３における判定の結果が肯定的となるまで、上述のステップＳ１３〜Ｓ１５の処理は繰り返される。
【００５９】
以上説明したように、本実施形態では、センサユニット２５が、携帯電話装置１０の姿勢角を検出する。引き続き、姿勢変化検出部３３が、センサユニット２５により検出された姿勢が、非回転状態から右回転状態又は左回転状態へ遷移したか否かを検出する。そして、この検出結果が肯定的なものであった場合には、表示制御部３５が、非回転状態から右回転状態の遷移及び左回転状態へ遷移のそれぞれに対応して、表示部１３における表示内容を離散的に切り換える。
【００６０】
また、変化継続検出手段３４が、携帯電話装置１０の姿勢が右回転状態又は左回転状態にあることが一定時間Ｔ0以上継続したか否かを検出する。そして、この検出結果が肯定的なものであった場合には、表示制御部３５が、右回転状態継続及び左回転状態継続のそれぞれに対応して、表示部１３における表示内容を離散的に切り換える。
【００６１】
したがって、本実施形態によれば、本実施形態によれば、表示部１３における表示内容の切り換えを簡易に行うことができる。
【００６２】
なお、上記の実施形態では、角度θ0を１０°としたが、９０°以下の任意の角度とすることができる。
【００６３】
また、上記の実施形態では、所定時間Ｔ0を３秒としたが、任意の時間とすることができる。
【００６４】
また、上記の実施形態では、ファイルはＸ方向に沿って仮想的に配列されているものとしたが、Ｘ方向に沿って仮想的に配列されているものとすることができる。この場合には、ＸＹ基準座標系ＸSＹSＺSにおけるＸS軸回りの携帯電話装置１０の回転角に対応して、上記の実施形態におけるＸ軸方向に着目して行われる表示切換と沿うようの表示切換を、Ｙ軸方向に着目して行うようにすればよい。
【００６５】
また、上記の実施形態では、ファイルはＸ方向という１次元方向に沿って仮想的に配列されているものとしたが、図１１に示されるように、Ｘ方向及びＹ方向に沿って２次元的に仮想的に配列されているものとすることができる。この場合には、ＸＹ基準座標系ＸSＹSＺSにおけるＸS軸回り及びＹS軸回りの携帯電話装置１０の回転角に対応して、表示切換行うようにすればよい。
【００６６】
また、上記の実施形態では、展開指令が可能なファイルの表示に本発明を携帯電話装置に適用したが、他の表示切換の場合にも本発明を適用することができる。
【００６７】
また、上記の実施形態では、本発明を携帯電話装置に適用したが、携帯電話装置以外の移動通信端末装置に本発明を適用することができるのは、勿論である。
【産業上の利用可能性】
【００６８】
以上説明したように、本発明の表示処理方法は、移動通信端末装置における表示の切換に適用することができる。また、本発明の移動通信端末装置は、表示切換を行う移動通信端末に適用することができる。
【図面の簡単な説明】
【００６９】
【図１】本発明の一実施形態に係る携帯電話装置の外観構成を概略的に示す図である。
【図２】図１の装置の内部構成を説明するためのブロック図である。
【図３】図２の制御部で動作するソフトウエアの構成を概略的に示す図である。
【図４】図３のファイルビューワアプリケーションにおいて定義されている非回転状態、右回転状態及び左回転状態を説明するための図である。
【図５】図２のファイル配列記憶領域内のファイル配列情報を説明するための図である。
【図６】図１の装置の動作を説明するためのフローチャートである。
【図７】ファイルビューワアプリケーションによる初期画像の表示例を示す図である。
【図８】図６の表示切換処理を説明するためのフローチャートである。
【図９】表示切換結果例を示す図（その１）である。
【図１０】表示切換結果例を示す図（その２）である。
【図１１】図２のファイル配列記憶領域内のファイル配列情報の変形例を説明するための図である。
【符号の説明】
【００７０】
１０…携帯電話装置（移動体端末装置）、１１…携帯電話本体、１２…操作部、１３…表示部（表示手段）、１４…通話用スピーカ、１５…マイクロフォン、１６…案内用スピーカ、１７…アンテナ、２１…制御部、２２…送受信部、２３…記憶部、２４Ｆ…ファイル配列記憶領域、２４Ｔ…一時記憶領域、２５…センサユニット（姿勢角検出手段）、２６…センサ部、２７…アナログデジタル変換器、２９…タイマ、３１…計測データ収集処理部、３２…ファイルビューワアプリケーション、３３…姿勢変化検出部（姿勢角変化検出手段）、３４…変化継続検出部（範囲外継続判定手段）、３５…表示制御部（表示制御手段）。
【図１】
2007228100.tif 000003
【図２】
2007228100.tif 000004
【図３】
2007228100.tif 000005
【図４】
2007228100.tif 000006
【図５】
2007228100.tif 000007
【図６】
2007228100.tif 000008
【図７】
2007228100.tif 000009
【図８】
2007228100.tif 000010
【図９】
2007228100.tif 000011
【図１０】
2007228100.tif 000012
【図１１】
2007228100.tif 000013